(57)【要約】  本情報処理方法は、照明部と、機能部とを備える電球型光源装置により実行される情報処理方法であって、機能部に関する他の電球型光源装置との連動制御についての動作モードを、親モード及び子モードのいずれか一方から選択して設定することを含む。親モードが設定された場合、照明部の動作に関する所定の照明制御信号に応じて親モード用の第１の照明動作が照明部により実行され、また第１の照明動作とは異なる子モード用の第２の照明動作を実行させるための連動制御信号が、子モードが設定された他の電球型光源装置に送信される。子モードが設定された場合、親モードが設定された他の電球型光源装置から送信された連動制御信号をもとに、第２の照明動作が照明部により実行される。
2017104104.tif 000002
【特許請求の範囲】
【請求項１】
光源を含む照明部と、所定の機能を有する機能部とを備える電球型光源装置により実行される情報処理方法であって、
前記所定の機能に関する他の電球型光源装置との連動制御についての動作モードを、親モード及び子モードのいずれか一方から選択して設定し、
前記親モードが設定された場合、前記照明部の動作に関する所定の照明制御信号に応じて親モード用の第１の照明動作を前記照明部に実行させ、また前記第１の照明動作とは異なる子モード用の第２の照明動作を実行させるための連動制御信号を、前記子モードが設定された前記他の電球型光源装置に送信し、
前記子モードが設定された場合、前記親モードが設定された前記他の電球型光源装置から送信された前記連動制御信号をもとに、前記第２の照明動作を前記照明部に実行させる
情報処理方法。
【請求項２】
請求項１に記載の情報処理方法であって、
前記所定の照明制御信号は、点灯、消灯、調光、及び調色の少なくとも１つを制御する信号である
情報処理方法。
【請求項３】
請求項１に記載の情報処理方法であって、
前記第１の照明動作は、前記所定の照明制御信号を受信したタイミングを基準とした第１のタイミングでの所定の照明動作であり、
前記連動制御信号は、前記第１のタイミングよりも遅い第２のタイミングでの前記所定の照明動作を前記第２の照明動作として実行させるための信号である
情報処理方法。
【請求項４】
請求項３に記載の情報処理方法であって、
前記所定の照明動作は、点灯、消灯、調光、及び調色の少なくとも１つの動作である
情報処理方法。
【請求項５】
請求項４に記載の情報処理方法であって、
前記所定の照明動作は、点灯及び消灯の少なくとも一方の動作である
情報処理方法。
【請求項６】
請求項１に記載の情報処理方法であって、さらに、
前記親モードが設定された場合、前記所定の機能に関する同期制御を実行するための同期制御信号を、前記子モードが設定された前記他の電球型光源装置に送信する
情報処理方法。
【請求項７】
請求項６に記載の情報処理方法であって、
前記機能部は、スピーカであり、
前記同期制御は、同期再生を含む
情報処理方法。
【請求項８】
請求項１に記載の情報処理方法であって、
前記所定の照明制御信号は、リモートコントローラから送信される信号であり、
前記情報処理方法は、さらに、前記子モードが設定された場合、前記リモートコントローラから送信された前記所定の照明制御信号を無効とする
情報処理方法。
【請求項９】
請求項８に記載の情報処理方法であって、さらに、
前記親モードが設定された場合、前記リモートコントローラから送信されたリンク制御信号に応じて、前記機能部の動作を制御可能な外部装置とのリンクに関する動作モードを、前記リンクを可能とするスタンバイモードに設定し、
前記子モードが設定された場合、前記リモートコントローラから送信された前記リンク制御信号を無効とする
情報処理方法。
【請求項１０】
請求項８に記載の情報処理方法であって、
前記動作モードの設定ステップは、前記リモートコントローラから送信される設定信号をもとに前記動作モードを設定する
情報処理方法。
【請求項１１】
請求項１に記載の情報処理方法であって、
前記機能部は、スピーカ、撮像素子、及びセンサの少なくとも１つを含む
情報処理方法。
【請求項１２】
光源を含む照明部と、
所定の機能を有する機能部と、
前記所定の機能に関する他の電球型光源装置との連動制御についての動作モードを、親モード及び子モードのいずれか一方から選択して設定する設定部と、
前記親モードが設定された場合、前記照明部の動作に関する所定の照明制御信号に応じて親モード用の第１の照明動作を前記照明部に実行させ、また前記第１の照明動作とは異なる子モード用の第２の照明動作を実行させるための連動制御信号を、前記子モードが設定された前記他の電球型光源装置に送信する第１の制御部と、
前記子モードが設定された場合、前記親モードが設定された前記他の電球型光源装置から送信された前記連動制御信号をもとに、前記第２の照明動作を前記照明部に実行させる第２の制御部と
を具備する電球型光源装置。
【請求項１３】
光源を含む照明部と、
所定の機能を有する機能部と、
前記所定の機能に関する他の電球型光源装置との連動制御についての動作モードを、親モード及び子モードのいずれか一方から選択して設定する設定部と、
前記親モードが設定された場合、前記照明部の動作に関する所定の照明制御信号に応じて親モード用の第１の照明動作を前記照明部に実行させ、また前記第１の照明動作とは異なる子モード用の第２の照明動作を実行させるための連動制御信号を、前記子モードが設定された前記他の電球型光源装置に送信する第１の制御部と、
前記子モードが設定された場合、前記親モードが設定された前記他の電球型光源装置から送信された前記連動制御信号をもとに、前記第２の照明動作を前記照明部に実行させる第２の制御部と
を有する１以上の電球型光源装置と、
前記１以上の電球型光源装置のうちの前記親モードに設定された電球型光源装置に、前記所定の照明制御信号を送信するリモートコントローラと
を具備する情報処理システム。
【発明の詳細な説明】
【技術分野】
【０００１】
本技術は、電球型光源装置、これに適用可能な情報処理方法、及び情報処理システムに関する。
【背景技術】
【０００２】
従来、複数の照明機器を互いに連携させて動作させるシステムが考案されている。例えば特許文献１に記載の照明制御システムでは、各機器の間で無線による相互通信がそれぞれ実行され、相互間の信号レベル及び通信応答時間が計測される。各機器で計測された計測データは親機により収集され、収集された計測データをもとに各機器間の距離の序列が設定される。各機器は、親機により設定された距離の序列に基づいて、点灯制御を実行する。このような制御により、各機器の位置関係を反映した点灯順序を自動的に割り付けることが可能となる。この結果、照明機器の配置状態を変更しつつ、一定の方向に沿った送り点灯を維持するといったことが可能となり、照明の演出効果を向上させることができる（特許文献１の明細書段落［００２６］［００３１］［００４１］等）。
【先行技術文献】
【特許文献】
【０００３】
【特許文献１】特開２００９−２５９６５７号公報
【発明の概要】
【発明が解決しようとする課題】
【０００４】
特許文献１に記載のような親機及び子機を含む複数の照明機器を互いに連動させて動作させる態様として、様々な態様が有り得る。ユーザにとって、連動して動作する複数の照明機器の動作状態（動作モード）を容易に把握可能であることが望ましい。【０００５】
以上のような事情に鑑み、本技術の目的は、連動して動作する複数の電球型光源装置の動作モードを容易に確認することが可能な情報処理方法、情報処理システム、及び電球型光源装置を提供することにある。
【課題を解決するための手段】
【０００６】
上記目的を達成するため、本技術の一形態に係る情報処理方法は、光源を含む照明部と、所定の機能を有する機能部とを備える電球型光源装置により実行される情報処理方法であって、前記所定の機能に関する他の電球型光源装置との連動制御についての動作モードを、親モード及び子モードのいずれか一方から選択して設定することを含む。
前記親モードが設定された場合、前記照明部の動作に関する所定の照明制御信号に応じて親モード用の第１の照明動作が前記照明部により実行され、また前記第１の照明動作とは異なる子モード用の第２の照明動作を実行させるための連動制御信号が、前記子モードが設定された前記他の電球型光源装置に送信される。
前記子モードが設定された場合、前記親モードが設定された前記他の電球型光源装置から送信された前記連動制御信号をもとに、前記第２の照明動作が前記照明部により実行される。【０００７】
この情報処理方法では、所定の機能に関する連動制御について、親モード及び子モードのいずれか一方が設定される。そして照明部の動作に関して、親モードの設定装置では親モード用の第１の照明動作が実行される。また子モードの設定装置では子モード用の第２の照明動作が実行される。これによりユーザは、連動して動作する複数の電球型光源装置の動作モードを容易に確認することが可能となる。【０００８】
前記所定の照明制御信号は、点灯、消灯、調光、及び調色の少なくとも１つを制御する信号であってもよい。
点灯、消灯、調光、及び調色の少なくとも１つの動作が、動作モードに応じて異なる態様で実行されるので、ユーザは動作モードを容易に確認することができる。【０００９】
前記第１の照明動作は、前記所定の照明制御信号を受信したタイミングを基準とした第１のタイミングでの所定の照明動作であってもよい。この場合、前記連動制御信号は、前記第１のタイミングよりも遅い第２のタイミングでの前記所定の照明動作を前記第２の照明動作として実行させるための信号であってもよい。
この情報処理方法では、動作モードに応じて、同じ照明動作が異なるタイミングで実行される。すなわち親モード及び子モードの各々の設定装置に対して、同じ照明動作の時差制御を実現することが可能となる。【００１０】
前記所定の照明動作は、点灯、消灯、調光、及び調色の少なくとも１つの動作であってもよい。
点灯、消灯、調光、及び調色の少なくとも１つの動作が時差制御されるので、容易に動作モードを確認することが可能となる。【００１１】
前記所定の照明動作は、点灯及び消灯の少なくとも一方の動作であってもよい。
少なくとも点灯あるいは消灯の動作が時差制御されるので、容易に動作モードを確認することが可能となる。【００１２】
前記情報処理方法は、さらに、前記親モードが設定された場合、前記所定の機能に関する同期制御を実行するための同期制御信号を、前記子モードが設定された前記他の電球型光源装置に送信することを含んでもよい。
この情報処理方法では、親モード及び子モードの各々の設定装置により、所定の機能に関して同期制御が実行される。動作モードを容易に確認可能であるので、例えば同期制御に関するシステムの構築や設定変更等を容易に行うことが可能となる。【００１３】
前記機能部は、スピーカであってもよい。この場合、前記同期制御は、同期再生を含んでもよい。
複数の電球型光源装置により、音楽コンテンツの同期再生が可能となるので、ユーザに高い視聴体験を提供することが可能となる。【００１４】
前記所定の照明制御信号は、リモートコントローラから送信される信号であってもよい。この場合、前記情報処理方法は、さらに、前記子モードが設定された場合、前記リモートコントローラから送信された前記所定の照明制御信号を無効とすることを含んでもよい。
これにより高い操作性を発揮することが可能となる。【００１５】
前記情報処理方法は、さらに、前記親モードが設定された場合、前記リモートコントローラから送信されたリンク制御信号に応じて、前記機能部の動作を制御可能な外部装置とのリンクに関する動作モードを、前記リンクを可能とするスタンバイモードに設定すること、及び、前記子モードが設定された場合、前記リモートコントローラから送信された前記リンク制御信号を無効とすることを含んでもよい。
これにより子モードの設定装置がスタンバイモードとなることを回避することができる。この結果、外部装置を操作するユーザの、リンクの接続に関する操作性を向上することができる。【００１６】
前記動作モードの設定ステップは、前記リモートコントローラから送信される設定信号をもとに前記動作モードを設定してもよい。
これによりリモートコントローラを操作して、容易に動作モードを設定することができる。【００１７】
前記機能部は、スピーカ、撮像素子、及びセンサの少なくとも１つを含んでもよい。
これらのデバイスを用いることで、種々のシステムを構築することができる。【００１８】
本技術の一形態に係る電球型光源装置は、照明部と、機能部と、設定部と、第１の制御部と、第２の制御部とを具備する。
前記照明部は、光源を含む。
前記機能部は、所定の機能を有する。
前記設定部は、前記所定の機能に関する他の電球型光源装置との連動制御についての動作モードを、親モード及び子モードのいずれか一方から選択して設定する。
前記第１の制御部は、前記親モードが設定された場合、前記照明部の動作に関する所定の照明制御信号に応じて親モード用の第１の照明動作を前記照明部に実行させ、また前記第１の照明動作とは異なる子モード用の第２の照明動作を実行させるための連動制御信号を、前記子モードが設定された前記他の電球型光源装置に送信する。
前記第２の制御部は、前記子モードが設定された場合、前記親モードが設定された前記他の電球型光源装置から送信された前記連動制御信号をもとに、前記第２の照明動作を前記照明部に実行させる。【００１９】
本技術の一形態に係る情報処理システムは、前記照明部と、前記機能部と、１以上の前記電球型光源装置と、リモートコントローラとを具備する。
前記リモートコントローラは、前記１以上の電球型光源装置のうちの前記親モードに設定された電球型光源装置に、前記所定の照明制御信号を送信する。
【発明の効果】
【００２０】
以上のように、本技術によれば、連動して動作する複数の電球型光源装置の動作モードを容易に確認することが可能となる。なお、ここに記載された効果は必ずしも限定されるものではなく、本開示中に記載されたいずれかの効果であってもよい。
【図面の簡単な説明】
【００２１】
【図１】本技術の一実施形態に係る照明制御システムの構成例を示す概略図である。
【図２】図１に示す照明制御システムの機能的な構成例を示すブロック図である。
【図３】光源装置の構成例を示す模式的な断面図である。
【図４】タッチパネルに表示されるＧＵＩの構成例を示す図である。
【図５】図１に示す照明制御システムの動作例を示すフローチャートである。
【図６】第１及び第２の照明動作の一例を示すタイミングチャート図である。
【図７】イメージセンサ及びその他のセンサに関する動作モードについて説明するための図である。
【発明を実施するための形態】
【００２２】
以下、本技術に係る実施形態を、図面を参照しながら説明する。
【００２３】
［照明制御システムの構成］
図１及び図２は、本技術の一実施形態に係る照明制御システムの構成例を示す概略図である。図１はシステム内の各デバイスの外観例を示す図であり、図２は各デバイスの機能的な構成例を示す図である。なお本照明制御システムは、本技術に係る情報処理システムの一実施形態である。
【００２４】
照明制御システム１００は、１以上の電球型光源装置（以下、単に光源装置と記載する）１０と、リモートコントローラ（以下、単にリモコンと記載する）４０と、携帯端末５０とを有する。
【００２５】
１以上の光源装置１０は、照明機能と、音声出力機能とを有する。本実施形態では、１以上の光源装置１０として、第１の光源装置１０ａ、及び第２の光源装置１０ｂが用いられる。これらは光源装置として同じデバイスであり、互いに等しい構成を有する。
【００２６】
図３は、光源装置１０の構成例を示す模式的な断面図である。光源装置１０は、ベースユニット１１と、光源ユニット１２と、ｚ軸方向の一端側に設けられたスピーカ１３と、透光性カバー１４とを備える。また、光源装置１０は、電気的な絶縁リング１５を介して、ｚ軸方向の他端側（スピーカ１３の位置とは反対側）に設けられた口金１６を備える。
【００２７】
説明の便宜のため、以下では、図３におけるｚ軸に沿った方向を光源装置１０の前後方向として、具体的にはスピーカ１３側を前方、口金１６側を後方として内容を説明する。
【００２８】
ベースユニット１１は、ベース筐体１７と、ヒートシンク１８と、保持部材１９と、基板収容ボックス２０とを含む。ベース筐体１７は、前方側に開口を有し、当該開口を塞ぐように、ヒートシンク１８が配置される。ベース筐体１７は高熱伝導性を有し、ヒートシンク１８と熱的に接続される。
【００２９】
透光性カバー１４は、前方側の端部に形成された第１の開口１４ａと、その反対側の端部に形成された第２の開口１４ｂとを有する。第１の開口１４ａをスピーカ１３が塞ぐように、スピーカ１３が透光性カバー１４に装着される。第２の開口１４ｂ側は、ヒートシンク１８を介してベース筐体１７に接続される。透光性カバー１４は、例えばアクリル、またはポリカーボネート等の射出成形が可能な材料により形成される。
【００３０】
ヒートシンク１８は、スピーカ１３の振動板が振動する方向（ｚ軸方向）に沿った、スピーカ１３の中心を通る軸である仮想的な中心軸Ｃの周りに配置されている。ヒートシンク１８は板状であり、かつ、中心軸Ｃの全周に円環状に形成されている。
【００３１】
光源ユニット１２も、ヒートシンク１８と同様に中心軸Ｃの周りに配置され、ヒートシンク１８上に配置されている。光源ユニット１２は、円環状の実装基板２１と、実装基板２１上に円周上に配列された複数のＬＥＤ素子２２とを有する。１つのＬＥＤ素子２２は、白色光を発生する素子が用いられるが、白色以外の単色または複数色の光を発生する素子であってもよい。
【００３２】
実装基板２１上には、円環状のカバー２３が取付けられる。このカバー２３は実装基板２１の目隠しの機能を有し、表面は、高い反射率を持つように構成されている。
【００３３】
保持部材１９は、スピーカ１３を保持する部材であり、ヒートシンク１８に形成されたネジ孔に取付けられるネジＳ１により、ヒートシンク１８に固定される。保持部材１９は、筒状の側壁１９ａと、スピーカ１３を支持するための支持板１９ｂとを有する。側壁１９ａの外周面には、筒状の導光板２４が設置され、光源ユニット１２からの光が、その外側面で均一に面発光される。
【００３４】
支持板１９ｂの中心軸Ｃが通る中心部分には、ネジ孔１９ｃが設けられる。ネジ孔１９ｃにネジＳ２が取付けられることで、スピーカ１３が支持板１９ｂ上に固定される。
【００３５】
基板収容ボックス２０には、各種の回路基板２５が収容される。基板収容ボックス２０は、本体２６と、本体２６からｚ軸に垂直な方向に突出するように設けられたフランジ当接部２７とを有する。本体２６内に、複数の回路基板２５が配置される。フランジ当接部２７の上面はヒートシンク１８に当接され、下面には環状の電源回路基板２８が設置される。フランジ当接部２７及び電源回路基板２８は、複数のネジＳ３等により、ヒートシンク１８に接続される。
【００３６】
基板収容ボックス２０の本体２６の後方側には、ネジ孔２６ａが設けられる。当該ネジ孔２６ａに取付けられる図示しないネジにより、基板収容ボックス２０とベース筐体１７とが互いに接続される。
【００３７】
複数の回路基板２５には、光源ユニット１２やスピーカ１３の駆動回路、無線通信用のアンテナ及びネットワーク制御回路、赤外線信号（リモコン信号）の送受信部、及びこれらを制御するマイコン（マイクロコンピュータ）等が搭載される（いずれも図示省略）。本実施形態では、アンテナ及びネットワーク制御回路として、Bluetooth（登録商標）規格による近距離無線通信（以下、Bluetooth通信と記載する）を実行可能とするものが搭載される。
【００３８】
図２に図示されるマイコン３０は、所定のＩＣ（集積回路）や、ＣＰＵ、メモリ（ＲＡＭ、ＲＯＭ）、Ｉ／Ｏ（Input/Output）等が１チップに収められたデバイスである。ＣＰＵがＲＯＭに予め記録されているプログラムをＲＡＭにロードして実行することにより、種々の処理が実行される。以下に示す本技術に係る情報処理方法も、プログラム等のソフトウェア資源と、ＣＰＵ等のハードウェア資源との協働により実現される。
【００３９】
図２に示すように、光源装置１０は、マイコン３０、ＩＲ受信部３１、及び無線送受信部３２を有する。ＩＲ受信部３１は、リモコン４０から送信された赤外線信号を受信し、マイコン３０に出力する。マイコン３０は、受け取った赤外線信号に応じて種々の処理を実行する。ＩＲ受信部３１は、上記した送受信部により実現される。
【００４０】
無線送受信部３２は、Bluetooth通信が可能な外部装置から送信された制御信号を受信し、マイコン３０に出力する。マイコン３０は、受け取った制御信号に応じて種々の処理を実行する。また無線送受信部３２は、Bluetooth通信を介して種々の制御信号を送信することも可能である。無線送受信部３２は、Bluetooth通信を確立するためのモジュールであり、例えば上記したアンテナ及びネットワーク制御回路により実現される。なお任意のBluetoothモジュールが用いられてよい。
【００４１】
図２に示すように、本実施形態では、第１及び第２の光源装置１０ａ及び１０ｂの間で、Bluetooth通信が実行される。なお図中の親機及び子機の記載については、後述する。
【００４２】
本実施形態において、光源ユニット１２及びスピーカ１３は、照明部及び機能部にそれぞれ相当する。またマイコン３０は、設定部、第１の制御部、及び第２の制御部として機能する。各要素の具体的な構成は、上記で説明したものに限定されず適宜設計されてよい。
【００４３】
図１及び図２に示すように、リモコン４０は、ユーザ５により操作される操作部４１と、光源装置１０の動作を制御するための赤外線信号を出力するＩＲ送信部４２を有する。操作部４１は、点灯／消灯ボタン４３、再生／一時停止ボタン４４、音量プラスボタン４５、音量マイナスボタン４６、ペアリングボタン４７、同期再生ボタン４８、及び調光スライドバー４９を有する。
【００４４】
点灯／消灯ボタン４３、及び調光スライドバー４９は、光源ユニット１２の点灯、消灯、及び調光を制御する際に用いられる。再生／一時停止ボタン４４、音量プラスボタン４５、及び音量マイナスボタン４６は、スピーカ１３による音楽コンテンツの再生制御に用いられる。
【００４５】
ペアリングボタン４７は、光源装置１０を、Bluetooth通信が可能な外部装置とのペアリングを待機するペアリングモードに設定するためのボタンである。ペアリングモードとなった光源装置１０は、ペアリングが可能な装置として外部装置により検出される。そして外部装置からのペアリング要求に応じてペアリングが実行される。
【００４６】
本実施形態では、ペアリングモードは、外部装置とのリンクに関する１つの動作モード、及び当該リンクを可能とするスタンバイモードに相当する。
【００４７】
同期再生ボタン４８は、第１及び第２の光源装置１０ａ及び１０ｂの各々のスピーカ１３により、音楽コンテンツを同期再生させる同期再生モードを選択するためのボタンである。なお本実施形態における第１及び第２の光源装置１０ａ及び１０ｂによる同期再生は、他の光源装置との連動制御、及び所定の機能に関する同期制御に相当する。
【００４８】
携帯端末５０は、タッチパネルディスプレ（以下、単にタッチパネルと記載する）５１と、Bluetoothモジュール５２とを有する。携帯端末５０は、Bluetooth通信が可能なスピーカ装置とペアリングを実行し、音楽データ及び再生制御信号を送信することで、スピーカ装置による音楽コンテンツの再生動作を制御することが可能である。
【００４９】
図４は、タッチパネル５１に表示されるＧＵＩ（Graphical User Interface）の構成例を示す図である。例えば図４Ａに示すように、ペアリングが行われる際には、タッチパネル５１の検出装置表示部５３に、検出されたペアリングモードのスピーカ装置が表示される。ユーザ５は、表示されたスピーカ装置の中から音楽コンテンツを再生させたいスピーカ装置選択し、ＯＫボタン５４を押す。これによりペアリングが実行される。なお図中の親機１０ａの記載については、後述する。
【００５０】
また図４Ｂに示すように、音楽コンテンツの再生時には、タッチパネル５１の音楽情報表示部５５に、再生中のコンテンツの情報が表示される。またタッチパネル５１の下部に表示された複数の制御ボタン５６を操作することで、再生動作を制御することが可能である。
【００５１】
携帯端末５０は、本実施形態において、機能部の動作を制御可能な外部装置に相当する。携帯端末５０としては、典型的にはスマートフォンが用いられるが、これに限定されずタブレット端末やゲーム機器等の種々のＰＤＡ（Personal Digital Assistant）等が用いられてもよい。その他、Bluetooth通信を介してスピーカ１３の再生動作を制御できる装置であれば、ＰＣ等の任意の装置が、外部装置として用いられてよい。なお外部装置は、ユーザ５により適宜変更され得るものである。従って第１及び第２の光源装置１０ａ及び１０ｂと、リモコン４０とが、本技術に係る照明制御システムの主な要素とみることもできる。
【００５２】
［照明制御システムの動作］
図５は、照明制御システム１００の動作例を示すフローチャートである。図５に示す各ステップは、本システムを利用して音楽コンテンツの同期再生を実行するユーザ５の操作に応じて実行される。
【００５３】
本実施形態では、各光源装置１０に対して、同期再生についての動作モードがそれぞれ設定される。具体的には、１台の光源装置１０が親モードに設定され、その他の光源装置１０が子モードに設定される。以下、親モードに設定された光源装置１０を親機と記載し、子モードに設定された光源装置１０を子機と記載する場合がある。
【００５４】
音楽コンテンツの同期再生は、携帯端末５０と親機とがペアリングされ、親機に対して音楽データ及び再生制御信号が送信される。親機は、Bluetooth通信により、受け取った音楽データと同期再生を実行するための同期制御信号とを、子機に送信する。これにより音楽コンテンツの同期再生が実行される。
【００５５】
なお親機及び子機による同期再生を実現するための技術として、任意の技術が用いられてよい。例えばクロック及びタイムスタンプにより同期をとり、これにバッファ処理を組み合わせることで同期再生は実行可能である。例えばＲＴＰ（Real-time Transport Protocol）及びＲＴＣＰ（RTP Control Protoco1）を組み合わせたフロー制御等が挙げられる。
【００５６】
また本実施形態では、同期再生モードとして、ステレオモード及びダブルモードの２つのモードが実行可能である。ステレオモードは、１台の光源装置１０から左チャンネル（Ｌ側）の音が再生され、他の光源装置１０から右チャンネル（Ｒ側）の音が再生されるモードである。本実施形態では、親機がＬ側の光源装置１０となり、子機がＲ側の光源装置１０となる。もちろん反対でもよい。
【００５７】
ダブルモードは、２台の光源装置１０から同じ音（モノラル音）が再生されるモードである。ユーザ５は、これらの同期再生モードを適宜選択することで、高い視聴体験を得ることができる。なおステレオモード及びダブルモードは、リモコン４０を操作することで選択可能である。
【００５８】
同期再生モードが設定されている場合には、図４Ｂに示す複数の制御ボタン５６等を用いた制御やイコライザー等の設定等も、第１及び第２の光源１０ａ及び１０ｂ間で同期して実行される。これらの同期制御も、所定の機能に関する連動制御に含まれる。
【００５９】
図２に示す例では、第１及び第２の光源装置１０ａ及び１０ｂがそれぞれ親モード及び子モードに設定される。以下、第１及び第２の光源装置１０ａ及び１０ｂを、同じ符号を用いて、親機１０ａ及び子機１０ｂと記載する場合がある。
【００６０】
図５に示すように、まず親機の設定（親モードの設定）が実行される（ステップ１０１）。親機に設定したい第１の光源装置１０ａがソケットに取付けられ電源がオンにされる（光源ユニット１２点灯）。一方、子機に設定したい第２の光源装置１０ｂには電力が供給されないように、ソケットへの取付けは行われない。もちろん個別に電源をオフにできるのであれば、ソケットに取付けられてもよい。
【００６１】
リモコン４０が第１の光源装置１０ａに向けられ、ペアリングボタン４７と同期再生ボタン４８とが同時に長押しされる。これにより親モードを設定するための設定信号（赤外線信号）が、リモコン４０から第１の光源装置１０ａに送信される。なおリモコン４０への操作方法は限定されず、このことは以下の説明でも同様である。
【００６２】
第１の光源装置１０ａのマイコン３０は、ＩＲ受信部３１から受信した設定信号をもとに、第１の光源装置１０ａの動作モードを親モードに設定する。親機の設定が完了したら、その旨の報知音（例えば「ピー」等）がスピーカ１３から出力されてもよい。
【００６３】
次に、子機の設定が実行される。本実施形態では、音楽コンテンツを同期再生させる旨の同期再生モードの設定が、子機の設定に代えて実行される。すなわち同期再生モードの設定を行うことで、親機１０ａ以外の光源装置１０ｂが子機に設定される（ステップ１０２）
【００６４】
子機に設定したい第２の光源装置１０ｂがソケットに取付けられ電源がオンにされる（光源ユニット１２点灯）。リモコン４０の同期再生ボタン４８が長押しされる。これにより子機を設定する設定信号（赤外線信号）が第２の光源装置１０ｂに送信される。当該設定信号をもとに、第２の光源装置１０ｂのマイコン３０により、子機モードが設定される。その際には、親機１０ａの設定時の報知音とは異なる報知音（「例えばピピー」等）が、スピーカ１３から出力されてもよい。
【００６５】
子機に設定された第２の光源装置１０ｂでは、リモコン４０から送信された赤外線信号が無効とされる（図２に示す第２の光源装置１０ｂへ向かう赤外線信号が無効となる）。従って子機１０ｂは、リモコン４０の操作に対して反応しなくなる。赤外線信号の無効の方法は限定されず、赤外線信号の受信の停止、あるいはマイコン３０による赤外線信号に応じた処理の実行の停止等、任意の処理が採用されてよい。
【００６６】
なお子機１０ｂの光源ユニット１２及びスピーカ１３の制御については、Bluetooth通信を介して、親機１０ａから子機１０ｂに制御信号が適宜送信される。
【００６７】
光源装置１０の初期設定として、子モードが設定されてもよい。この場合、同期再生モードが設定された段階で、赤外線信号の無効等の子モードに応じた処理が実行される。なお同期再生モードが設定されている状態で、親モードに設定されていない状態を、子モードの状態ということもできる。
【００６８】
携帯端末５０と親機１０ａとのペアリングが実行される（ステップ１０３）。リモコン４０が親機１０ａに向けられペアリングボタン４７が押される。これによりリモコン４０からペアリングモードに設定するためのリンク制御信号（赤外線信号）が親機１０ａに送信される。親機１０ａのマイコン３０は、受信したリンク制御信号をもとに、親機１０ａをペアリングモードに設定する。この際に、報知音が出力されてもよい。
【００６９】
ユーザ５は、携帯端末５０を操作して、Bluetooth通信の接続モードをＯＮにする。これにより図４Ａに示すように、タッチパネル５１の検出装置表示部５３に親機１０ａが表示される。ＯＫボタン５４が押されると、携帯端末５０と親機１０ａとがペアリングされる。
【００７０】
子機１０ｂについては、リモコン４０からの赤外線信号が無効とされるので、ＩＲ受信部３１にリンク制御信号が届いたとしても、ペアリングモードは設定されない。従って図Ａに示すように、タッチパネル５１の検出装置表示部５３に子機１０ｂが表示されることはない。この結果、ユーザ５が、検出された装置から親機１０ａを判別して選択するといった手間を省略することが可能となる。すなわちペアリングの相手を選ぶ際に、ユーザ５が混乱してしまうことを防ぐことができ、非常に高い操作性を発揮することが可能となる。
【００７１】
このように本実施形態では、子機１０ｂ側で赤外線信号を無効とすることで、子機１０ｂがペアリングモードとなることが規制される。これにより、例えばペアリングモードの設定の可否を切替えるスイッチ等を光源装置１０に設ける必要がなくなり、構造の簡素化及び設計コスト等を抑えることができる。また当該スイッチ等が設置される場合でも、光源装置１０の設置場所によってはスイッチ操作が難しい場合も多い。本技術を適用することで、子機１０ｂのペアリングモードの設定を容易に規制することが可能となる。
【００７２】
親機１０ａ及び子機１０ｂにより、同期再生が実行される（ステップ１０４）。ユーザ５は、携帯端末５０を操作して、再生させたい音楽コンテンツを選択する。対応する音楽データ及び制御信号（Bluetooth信号）が親機１０ａに送信される。親機１０ａのマイコン３０は、受け取った音楽データ、及び同期制御信号（Bluetooth信号）を子機に送信する。これにより親機１０ａ及び子機１０ｂによる音楽コンテンツの同期再生が実行される。なお同期再生時に、タイム情報等が、子機１０ｂから親機１０ａに送信されてもよい。
【００７３】
同期再生のモードとしては、例えば初期設定としてステレオモードが設定される。モードを変更する場合には、リモコン４０を親機１０ａに向けて同期再生ボタン４８が押される。これによりダブルモードへの変更が実行される。モードの切り替え時に、その旨の報知音が出力されてもよい。なお初期設定がダブルモードであってもよい。
【００７４】
同期再生モードを解除する場合には、同期再生ボタン４８が長押しされる。これにより各々の光源装置１０が単体で制御可能となる。解除時に報知音が出力されてもよい。
【００７５】
親機１０ａ及び子機１０ｂの設定状態の確認方法について説明する。リモコン４０から光源ユニット１２の動作に関する所定の照明制御信号（赤外線信号）が、親機１０ａに送信される。親機１０ａのマイコン３０は、受信した照明制御信号に応じて、親モード用の第１の照明動作を光源ユニット１２に実行させる。また第１の照明動作とは異なる子モード用の第２の照明動作を実行させるための連動制御信号（Bluetooth信号）を子機１０ｂに送信する。
【００７６】
子機１０ｂのマイコン３０は、受信した連動制御信号をもとに、第２の照明動作を光源ユニット１２に実行させる。すなわちユーザ５の照明動作に関する所定の操作に応じて、親機１０ａと子機１０ｂとで互いに異なる態様の照明動作が実行される。これによりユーザ５は、親機１０ａ及び子機１０ｂを視覚的に容易に確認することが可能となる。
【００７７】
図６は、第１及び第２の照明動作の一例を示すタイミングチャート図である。本実施形態では、光源ユニット１２の点灯及び消灯の動作に関して、第１及び第２の照明動作が設定される。具体的には、点灯時に、親機１０ａの方が先に点灯し、遅れて子機１０ｂが点灯する。消灯時においても、親機１０ａの方が先に消灯し、遅れて子機１０ｂが消灯する。すなわち点灯及び消灯の時差制御が実行される。
【００７８】
親機１０ａ及び子機１０ｂが両方とも消灯している状態で、リモコン４０が親機１０ａに向けられ点灯／消灯ボタン４３が押される。これにより親機１０ａに、光源ユニット１２を点灯させる旨の照明制御信号が送信される。
【００７９】
図６に示すように、親機１０ａのマイコン３０は、照明制御信号を受信したタイミングを基準とした第１のタイミングＴ１にて、光源ユニット１２を点灯させる。また第１のタイミングよりも遅い、ｔ１秒後の第２のタイミングＴ２で光源ユニット１２を点灯させる旨の連動制御信号を、子機１０ｂに送信する。子機１０ｂのマイコン３０は、受信した連動制御信号をもとに、第２のタイミングＴ２で光源ユニット１２を点灯させる。これにより子機１０ｂの点灯がｔ１秒遅延する時差点灯が実行される。
【００８０】
また親機１０ａ及び子機１０ｂが両方とも点灯している状態で、リモコン４０が親機１０ａに向けられ、点灯／消灯ボタン４３が押される。親機１０ａに光源ユニット１２を消灯させる旨の照明制御信号が送信され、第１のタイミングＴ'１にて光源ユニット１２が消灯される。また第１のタイミングＴ'１からｔ２秒後の第２のタイミングＴ'２にて光源ユニット１２を消灯させる旨の連動制御信号が、子機１０ｂに送信される。当該連動制御信号をもとに、第２のタイミングＴ'にて、子機１０ｂの光源ユニット１２が消灯される。これにより子機１０ｂの消灯がｔ２秒遅延する時差消灯が実行される。
【００８１】
時差となるｔ１秒及びｔ２秒の具体的な値は限定されず適宜設定されてよい。ｔ１とｔ２が同じ値であってもよいし、異なる値であってもよい。なお第１のタイミングＴ１及びＴ'１での点灯及び消灯は、第１の照明動作に相当する。また第２のタイミングＴ２及びＴ'２での点灯及び消灯は、第２の照明動作に相当する。
【００８２】
図６では、第１のタイミングＴ１及びＴ'１が、照明制御信号のパルスの立下りのタイミングに設定されているが、これに限定されるわけではない。また親機１０ａにより実行される「第２のタイミングＴ２及びＴ'２にて光源ユニットを点灯及び消灯させる旨の連動制御信号の送信」は、「第２のタイミングＴ２及びＴ'２での点灯及び消灯が実行される適当なタイミングで、点灯及び消灯を実行させる旨の連動制御信号を送信する」ことを含む。
【００８３】
このように本実施形態では、点灯及び消灯という、光源装置１０の一般的な動作について、第１及び第２の照明動作がそれぞれ設定され、時差点灯及び時差消灯が実行される。これによりユーザ５は、光源装置１０に対して一般的に行われるリモコン操作をもとに、連動する複数の光源装置１０の動作モード、すなわち親機１０ａであるか子機１０ｂであるかを容易に確認することが可能となる。
【００８４】
この結果、リモコン４０や携帯端末５０を差し向ける対象である親機１０ａの位置を容易に確認することが可能となり、照明制御や音楽コンテンツの再生制御等をストレスなく実行することが可能となる。またステレオモードにおけるＬＲの各々スピーカ１３の位置を容易に確認することが可能となり、自分好みのＬＲの設定や設定変更等を容易に行うことが可能となる。すなわち所望のシステムの構築が可能となる。さらに他の人が設定したＬＲの設定状態を容易に確認することも可能である。
【００８５】
また動作モードを判別可能とするためのインジケータ等を光源装置１０に設ける必要がないので、構造の簡素化及び設計コスト等を抑えることができる。またデザイン性を向上させることができる。なお仮にインジケータ等が設けられてとしても、光源装置１０の設置場所によっては当該インジケータを確認することが難しいことも多い。従って親機１０ａ及び子機１０ｂにより照明の態様を異ならせる本技術は、非常に有効である。
【００８６】
親モード用の第１の照明動作及び子モード用の第２の照明動作の設定方法は任意である。光源装置１０により実行される任意の照明動作について、互いに異なる態様となるように、第１及び第２の照明動作がそれぞれ設定されればよい。
【００８７】
例えば点灯時に、子機１０ｂの方から先に時差点灯が行われもよい。また親機１０ａ及び子機１０ｂのいずれかのみが任意の回数だけ点滅してから点灯してもよい。またいずれかの光源装置１０のみ点灯時の光量の立上り時間が遅く設定されてもよい。消灯時においても例えば子機１０ｂを先にした時差消灯、いずれかの光源装置１０による点滅してからの消灯、あるいは消灯までの緩やかな光量の減少等が設定されてもよい。
【００８８】
点灯及び消灯のみならず、調光及び調色に関して、第１及び第２の照明動作が設定されてもよい。例えば図１に示す調光スライドバー４９の操作に応じて送信される照明制御信号に応じて所定の変化率で親機１０ａの光源ユニット１２が調光される（第１の照明動作）。一方親機１０ａからの連動制御信号に応じて、親機１０ａでの変化率よりも小さい又は大きい変化率で、子機１０ｂの光源ユニット１２が調光される。ユーザ５は、調光の際の明暗（光量）の変化の違い（調光の時差制御ともいえる）をもとに、動作モードを容易に確認することができる。
【００８９】
図１には図示していないが、赤、緑、青等、光源ユニット１２から出射される光の色を調整するためのボタン等が備えられているとする。当該調色用のボタン等の操作に応じて、色の変化率等が異なるように、親機１０ａ及び子機１０ｂの各々で、調色が実行される（調色の時差制御ともいえる）。これによりユーザ５は、動作モードを容易に確認することが可能となる。
【００９０】
点灯、消灯、調光、及び調色の各動作のうちの少なくとも１つ、あるいは全て、もしくは任意の組み合わせについて、第１及び第２の照明動作がそれぞれ設定されてもよい。例えば点灯と調光に関して、第１及び第２の照明動作が設定される。あるいは点灯、消灯、及び調色に関して、第１及び第２の照明動作が設定されてもよい。
【００９１】
親機１０ａ及び子機１０ｂの設定は、同期再生モードが解除されないうちは、各光源装置１０内のメモリに設定状態が記憶される。従って親機１０ａ及び子機１０ｂの取付け位置を変更することで、ステレオモードの再生状態（ＬＲの位置）を容易に変更することができる。
【００９２】
親機１０ａ及び子機１０ｂの設定を変更する場合には、同期再生モードが解除され、親機に設定したい光源装置１０のみに電源が入るように、適宜操作が行われる。そして親機に設定したい光源装置１０に対して、上記した親機の設定操作が実行される。あるいは、同期再生モードの解除に代えて、またはこれに加えて、動作モードを解除する操作が定められていてもよい。当該解除操作を実行した後に、親機の設定が実行される。
【００９３】
本技術では、リモコン４０を用いて各光源装置１０の動作モードを容易に設定することが可能であり、また設定の変更も容易に可能である。従って、例えば親モード及び子モードを設定するためのスイッチ等を光源装置１０に設ける必要がなく、構造の簡素化及び設計コスト等を抑えることができる。
【００９４】
＜その他の実施形態＞
本技術は、以上説明した実施形態に限定されず、他の種々の実施形態を実現することができる。
【００９５】
所定の機能を有する機能部として、上記したスピーカ１３に代えて、あるいはスピーカ１３に加えて、イメージセンサ（撮像素子）やその他の種々のセンサが搭載されてもよい。すなわち光源装置１０内に、カメラ機構やセンサ機構等が構築されてもよい。もちろんこれらに限定されず、無線ルータ機能等の他の機能を有する機能部が構築されてもよい。またこれらの機能が適宜組み合わされて、光源装置１０に搭載されてもよい。
【００９６】
イメージセンサとしては、例えばＣＭＯＳ（Complementary Metal-Oxide Semiconductor）センサやＣＣＤ（Charge Coupled Device）センサ等が用いられる。種々のセンサとしては、光センサ、超音波センサ、放射線センサ、温度センサ等が挙げられる。もちろんこれらに限定されるわけではない。
【００９７】
図７は、イメージセンサ及びその他のセンサに関する動作モードについて説明するための図である。例えば図７Ａに示すように、動作モードに対応するように撮影エリア又は検知エリア（センシングエリア）が設定されてもよい。図７Ａに示す例では、エリアＸが撮影エリア又は検知エリアとなる位置に、親機１０ａが配置される。一方エリアＹが撮影エリア又は検知対象エリアとなる位置に、子機１０ｂが配置される。
【００９８】
図７Ｂに示すように、動作モードに対応するように撮影ターゲット又は検知ターゲット（センシングターゲット）が設定されてもよい。図７Ｂに示す例では、ターゲットＸが撮影ターゲット又は検知ターゲットになる位置に、親機１０ａが配置される。ターゲットＹが撮影ターゲット又は検知ターゲットになる位置に、子機１０ｂが配置される。
【００９９】
親機１０ａ及び子機１０ｂによるイメージセンサの連動制御として、任意の制御が実行されてよい。例えば所定のタイミングでの撮影や、撮影に関する設定条件の連動した制御等が挙げられる。親機１０ａ及び子機１０ｂによる他のセンサの連動制御も同様に、任意の制御が実行されてよい。センシングの結果をもとにしたセキュリティに関する処理、例えば警告音の出力や扉の施錠等が挙げられる。もちろんこれらに限定されるわけではない。
【０１００】
親機１０ａ及び子機１０ｂを連動制御させる方法は、上記の同期再生の制御方法と同様である。本技術を実施することで、親機１０ａ及び子機１０ｂの設定状態を容易に確認可能である。すなわちどのエリアやどのターゲットが、どの光源装置１０により撮影又はセンシングされているかを、容易に確認することができる。この結果、所望の撮影システムや検知システムを構築することが可能となる。
【０１０１】
上記では、携帯端末５０及び親機１０ａの接続、及び親機１０ａ及び子機１０ｂの接続が、Bluetooth通信等の近距離無線通信により実現された。これに限定されず、これらの装置間がＷｉＦｉ等の無線ＬＡＮ（Local Area Network）により接続され、ネットワークを介して、照明制御信号や連動制御信号が送信されてもよい。
【０１０２】
上記では、親機１０ａ及び子機１０ｂの２台の光源装置１０を例にして説明を行った。これに限定されず、３台以上の光源装置１０に対して、本技術は適用可能である。３台以上の光源装置１０のうちの１台が親機に設定され、他の光源装置１０が子機に設定される。所定の機能に関する連動制御については、外部装置からの制御信号を受信した親機から子機へ連動制御信号が送信される。ユーザ５は、点灯や消灯等の所定の操作を入力することで、各光源装置１０の動作モードを容易に確認することが可能である。
【０１０３】
上記では、子機に設定された後はリモコン４０からの赤外線信号が無効とされた。これに代えて、リモコン４０から送信された所定の制御信号のみが無効とされてもよい。すなわち無効とされる制御信号が適宜選択されてもよい。例えば上記した光源装置１０をペアリングモードとするリンク制御信号のみが無効とされる、等である。
【０１０４】
リモコン４０に親機１０ａ及び子機１０ｂの設定状態を確認するための確認ボタンが設けられてもよい。当該確認ボタンを押すと予め設定された第１及び第２の照明動作が実行される。ユーザ５は互いに異なる態様の照明動作を目視することで、親機１０ａ及び子機１０ｂを容易に確認することができる。
【０１０５】
照明制御信号を送信するリモコンと、連動制御のための制御信号を送信する外部装置とが一体的に構成されてもよい。例えばリモコン制御が可能となるアプリケーション等がスマートフォン等にダウンロードされる場合等が考えられる。この場合でも、本技術は適用可能である。
【０１０６】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１０７】
なお、本技術は以下のような構成も採ることができる。
（１）光源を含む照明部と、所定の機能を有する機能部とを備える電球型光源装置により実行される情報処理方法であって、
前記所定の機能に関する他の電球型光源装置との連動制御についての動作モードを、親モード及び子モードのいずれか一方から選択して設定し、
前記親モードが設定された場合、前記照明部の動作に関する所定の照明制御信号に応じて親モード用の第１の照明動作を前記照明部に実行させ、また前記第１の照明動作とは異なる子モード用の第２の照明動作を実行させるための連動制御信号を、前記子モードが設定された前記他の電球型光源装置に送信し、
前記子モードが設定された場合、前記親モードが設定された前記他の電球型光源装置から送信された前記連動制御信号をもとに、前記第２の照明動作を前記照明部に実行させる
情報処理方法。
（２）（１）に記載の情報処理方法であって、
前記所定の照明制御信号は、点灯、消灯、調光、及び調色の少なくとも１つを制御する信号である
情報処理方法。
（３）（１）又は（２）に記載の情報処理方法であって、
前記第１の照明動作は、前記所定の照明制御信号を受信したタイミングを基準とした第１のタイミングでの所定の照明動作であり、
前記連動制御信号は、前記第１のタイミングよりも遅い第２のタイミングでの前記所定の照明動作を前記第２の照明動作として実行させるための信号である
情報処理方法。
（４）（３）に記載の情報処理方法であって、
前記所定の照明動作は、点灯、消灯、調光、及び調色の少なくとも１つの動作である
情報処理方法。
（５）（４）に記載の情報処理方法であって、
前記所定の照明動作は、点灯及び消灯の少なくとも一方の動作である
情報処理方法。
（６）（１）から（５）のうちいずれか１つに記載の情報処理方法であって、さらに、
前記親モードが設定された場合、前記所定の機能に関する同期制御を実行するための同期制御信号を、前記子モードが設定された前記他の電球型光源装置に送信する
情報処理方法。
（７）（６）に記載の情報処理方法であって、
前記機能部は、スピーカであり、
前記同期制御は、同期再生を含む
情報処理方法。
（８）（１）から（７）のうちいずれか１つに記載の情報処理方法であって、
前記所定の照明制御信号は、リモートコントローラから送信される信号であり、
前記情報処理方法は、さらに、前記子モードが設定された場合、前記リモートコントローラから送信された前記所定の照明制御信号を無効とする
情報処理方法。
（９）（８）に記載の情報処理方法であって、さらに、
前記親モードが設定された場合、前記リモートコントローラから送信されたリンク制御信号に応じて、前記機能部の動作を制御可能な外部装置とのリンクに関する動作モードを、前記リンクを可能とするスタンバイモードに設定し、
前記子モードが設定された場合、前記リモートコントローラから送信された前記リンク制御信号を無効とする
情報処理方法。
（１０）（８）又は（９）に記載の情報処理方法であって、
前記動作モードの設定ステップは、前記リモートコントローラから送信される設定信号をもとに前記動作モードを設定する
情報処理方法。
（１１）（１）から（１０）のうちいずれか１つに記載の情報処理方法であって、
前記機能部は、スピーカ、撮像素子、及びセンサの少なくとも１つを含む
情報処理方法。
【符号の説明】
【０１０８】
１０…光源装置
１０ａ…第１の光源装置
１０ｂ…第２の光源装置
１２…光源ユニット
１３…スピーカ
２５…回路基板
３０…マイコン
３１…ＩＲ受信部
３２…無線送受信部
４０…リモートコントローラ（リモコン）
４２…ＩＲ送信部
５０…携帯端末
５２…Bluetoothモジュール
１００…照明制御システム
【図１】
2017104104.tif 000003
【図２】
2017104104.tif 000004
【図３】
2017104104.tif 000005
【図４】
2017104104.tif 000006
【図５】
2017104104.tif 000007
【図６】
2017104104.tif 000008
【図７】
2017104104.tif 000009
【国際調査報告】
2017104104.tif 000010
2017104104.tif 000011